(57)【要約】【課題】車体に大容量の送風を行う陽圧換気用の送風機及び高水圧を噴射して建造物等を切断するウォータージェットカッターを搭載し、火災現場等の状況に応じて送風機及びウォータージェットカッターを使用できる緊急車両を提供するものである。【解決手段】キャビン１２及び荷台１３を有する車体１１と、車体に搭載され、大容量の送風を行う陽圧換気用の送風機１５と、車体に搭載され、高水圧を噴射して建造物等を切断するウォータージェットカッター２３と、車体に搭載され、送風機１５及びウォータージェットカッター２３を駆動・制御する駆動装置及び制御装置とを具備したことを特徴とする緊急車両にある。【選択図】図１
0003116221.tif 000002
【実用新案登録請求の範囲】
【請求項１】
キャビン及び荷台を有する車体と、
前記車体に搭載され、大容量の送風を行う陽圧換気用の送風機と、
前記車体に搭載され、高水圧を噴射して建造物等を切断するウォータージェットカッターと、
前記車体に搭載され、前記送風機及びウォータージェットカッターを駆動・制御する駆動装置及び制御装置と、
を具備したことを特徴とする緊急車両。
【請求項２】
キャビン及び荷台を有する車体と、
前記車体に昇降機構を介して昇降可能に搭載され、大容量の送風を行う陽圧換気用の送風機と、
前記車体に高圧ホースを介して延長可能に搭載され、高水圧を噴射して建造物等を切断するウォータージェットカッターと、
前記車体に搭載され、前記送風機及びウォータージェットカッターを駆動・制御する駆動装置及び制御装置と、
を具備したことを特徴とする緊急車両。
【請求項３】
前記車体には、火災時の消火活動を行うに必要な消防ポンプ、消防ホース等の消防機器が搭載されていることを特徴とする請求項１または２記載の緊急車両。
【請求項４】
前記ウォータージェットカッターは、長尺の高圧ホースに接続された手持ち式のウォータージェット放水銃であることを特徴とする請求項１または２記載の緊急車両。
【考案の詳細な説明】
【技術分野】
【０００１】
本考案は、車体に、大容量の送風を行う陽圧換気用の送風機及び高水圧を噴射して建造物等を切断するウォータージェットカッターを搭載した消防車等の緊急車両に関する。
【背景技術】
【０００２】
建造物等の火災時に火災現場に急行して消火活動を行う消防車は、車体の荷台に消防ポンプ、消防ホース等を搭載している。そして、火災現場において、消防ポンプによって消火栓や貯水槽から大量の水を吸い込んで消防ホースの消火ノズルから吐出して消火活動を行う。
従って、消防車には消火活動に必要な種々の消防機器が搭載されているとともに、消火栓や貯水槽が無い地域や水源が遠い地域での火災を想定して消火用水を貯水したタンクを搭載した車両、ビル等の火災に備えたハシゴを搭載した車両あるいは電気、化学工場等の火災を想定して消火用薬液を搭載した車両がある。
【０００３】
また、エンジン動力のフルパワーで駆動して大量棒状放水する消防ポンプとトランスミッション動力で駆動して高圧噴霧放水する高圧ポンプを車体に搭載して、大規模火災に適応する大量棒状放水する消火活動と小規模火災に対応する高圧噴霧放水する消火活動が選択して切り換えられるようにした消防車も知られている（例えば、特許文献１参照。）。
【特許文献１】特開２００１−８７４０８号公報
【考案の開示】
【考案が解決しようとする課題】
【０００４】
しかしながら、従来の消防車においては、ビル火災、トンネル火災、車両火災、船舶等の火災のように密閉された空間に充満した煙、有害ガス等を迅速に排出し、延焼を防止したり、消火活動空間を確保したり、避難通路を確保する消防機器は備えていない。また、火災現場に隣接する建造物に開口部を形成し、充満した煙、有害ガス等を迅速に排出したり、倒壊建物から人身を救助するために、建造物を切断して救助空間を作る救助機器は備えていない。
本考案は、前記事情に着目してなされたもので、その目的とするところは、車体に大容量の送風を行う陽圧換気用の送風機及び高水圧を噴射して建造物等を切断するウォータージェットカッターを搭載し、火災現場等の状況に応じて送風機及びウォータージェットカッターを使用できる緊急車両を提供するものである。
【課題を解決するための手段】
【０００５】
本考案は、前記目的を達成するために、請求項１は、キャビン及び荷台を有する車体と、前記車体に搭載され、大容量の送風を行う陽圧換気用の送風機と、前記車体に搭載され、高水圧を噴射して建造物等を切断するウォータージェットカッターと、前記車体に搭載され、前記送風機及びウォータージェットカッターを駆動・制御する駆動装置及び制御装置とを具備したことを特徴とする緊急車両にある。
【０００６】
請求項２は、キャビン及び荷台を有する車体と、前記車体に昇降機構を介して昇降可能に搭載され、大容量の送風を行う陽圧換気用の送風機と、前記車体に高圧ホースを介して延長可能に搭載され、高水圧を噴射して建造物等を切断するウォータージェットカッターと、前記車体に搭載され、前記送風機及びウォータージェットカッターを駆動・制御する駆動装置及び制御装置とを具備したことを特徴とする緊急車両にある。
【０００７】
請求項３は、請求項１または２記載の前記車体には、火災時の消火活動を行うに必要な消防ポンプ、消防ホース等の消防機器が搭載されていることを特徴とする。
【０００８】
請求項４は、請求項１または２記載の前記ウォータージェットカッターは、長尺の高圧ホースに接続された手持ち式のウォータージェット放水銃であることを特徴とする。
【考案の効果】
【０００９】
本考案によれば、車体に搭載した送風機によって陽圧換気し、ビル火災、トンネル火災、車両火災、船舶等の火災のように密閉された空間に充満した煙、有害ガス等を迅速に排出して延焼を防止したり、消火活動空間を確保したり、避難通路を確保できる。また、前記陽圧換気のために、火炎発生現場に隣接する建造物に開口部を形成して充満した煙、有害ガス等を迅速に排出したり、倒壊建物から人身を救助するために、建造物を切断して救助空間を作ることができ、特にガス漏れ、可燃性ガスのある現場での切断救助活動に有効である。
【考案を実施するための最良の形態】
【００１０】
以下、本考案の実施の形態を図面に基づいて説明する。
【００１１】
図１〜図３は第１の実施形態を示し、図１は大容量の送風を行う陽圧換気用の送風機及び高水圧を噴射して建造物等を切断するウォータージェットカッターを搭載した緊急車両を示し、車体１１にはキャビン１２及び荷台１３が設けられている。荷台１３には例えばパンタグラフ式の昇降機構１４を介して大容量の送風を行う陽圧換気用の送風機１５が搭載されている。
【００１２】
送風機１５は、図２に示すように、円筒状のケーシング１６を有しており、このケーシング１６の内部には油圧モータ１７が設けられている。油圧モータ１７の回転軸１８には複数枚の羽根を有するプロペラ１９が装着され、このプロペラ１９の回転によって矢印方向に大容量の送風を行うことができるようになっている。この送風機１５は、ケーシング１６の外径が１５００ｍｍ（６０インチ）タイプの仕様で、送風量が２０００００立方メートル／時間、風速３５メートル／分（送風口部）である。
【００１３】
前記昇降機構１４は、図１に示すように、油圧シリンダ２０によって駆動されるようになっており、この油圧シリンダ２０及び油圧モータ１７は油圧配管２１を介して車体１１に搭載された駆動装置としての油圧ポンプを含む油圧装置２２に接続されている。昇降機構１４によって昇降される送風機１５の昇降長は、例えば３０００ｍｍ、傾斜角度３５度（上方向）、３５度（下方向）、回転は連続３６０度である。
【００１４】
また、車体１１にはウォータージェットカッター２３が搭載されている。このウォータージェットカッター２３は、図３に示すように、水ポンプ２４を備えており、この水ポンプ２４は水タンク２５、油圧駆動源（油圧ポンプまたはPTO駆動）２６と接続されて駆動されるようになっている。なお、水ポンプ２４には切削材タンクを備えたパワーユニット２７が接続されている。
【００１５】
さらに、水ポンプ２４にはホースリール２８に巻回された長尺の高圧ホース２９が接続され、高圧ホース２９の先端部にはウォータージェット放水銃３０が設けられている。ウォータージェット放水銃３０は、例えば手持ち式であり、ハンドル部３１には開閉レバー３２が設けられている。ウォータージェットカッター２３は、放水圧力が２５Ｍｐａ、放水量が４０Ｌ／ｍｉｎ、噴霧粒子の径が１５０μであり、ベニヤ板、コンクリート、鋼板、GFRP等の建材等に噴射することにより、穿孔、切断することができる。
【００１６】
前記送風機１５、ウォータージェットカッター２３は、図１に示すように、車体１１に搭載された制御装置としての集中制御盤３３で各駆動系をコントロールすることができるようになっている。
【００１７】
なお、前記車体１１には消防機器を搭載していない緊急車両について説明したが、火災時の消火活動を行うに必要な消防ポンプ、消防ホース等の消防機器を搭載した消防自動車に、前述した送風機１５、ウォータージェットカッター２３を搭載してもよいことは勿論である。
次に、前述した緊急車両に搭載した送風機１５及びウォータージェットカッター２３の使用例について説明する。例えば、ビル火災、トンネル火災、車両火災、船舶等の火災のように周囲が壁等によって覆われた空間で火災が発生した場合、隣接した部屋等の空間に煙や有害ガス等が充満する場合がある。
この煙や有害ガスは、避難の障害になるとともに消火活動の妨げになる。そこで、この煙や有害ガスを迅速に排出して避難通路を確保したり、消火活動空間を確保する必要が生じる。このような場合、煙や有害ガス等が充満する空間に向って送風機１５から大容量の送風を行う。つまり、画期的な陽圧換気方式による消火戦法によって煙や有害ガスを迅速に排出して避難通路を確保したり、消火活動空間を確保することができる。
【００１８】
また、前述のような陽圧換気を行う場合には煙や有害ガス等を排出する排出開口部が必要となる。しかし、ウォータージェットカッター２３を駆動してウォータージェット放水銃３０から壁等に向ってウォータージェット放水し、壁等に穿孔したり、切断して煙や有害ガス等を排出する排出開口部を設けることができる。同時に、倒壊建物から人身を救助するために、建造物を切断して救助空間を作ることもできる。また、ウォータージェットカッター２３は、ベニヤ板、コンクリート、鋼板、GFRP等の建材等に噴射することにより、穿孔、切断することができるため、あらゆる建造物に有効であり、特にガス漏れ、可燃性ガスのある現場での切断救助活動に有効である。
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００１９】
【図１】本考案の第１の実施形態を示し、緊急車両の斜視図。
【図２】同実施形態を示し、送風機の縦断側面図。
【図３】同実施形態を示し、ウォータージェットカッターの全体構成図。
【符号の説明】
【００２０】
１１…車体、１２…キャビン、１３…荷台、１４…昇降機構、１５…送風機、２３…ウォータージェットカッター
【図１】
0003116221.tif 000003
【図２】
0003116221.tif 000004
【図３】
0003116221.tif 000005